(57)【要約】【課題】ガイドレールの長手方向に沿ってスライド扉を移動させるスライド扉装置において、スライド扉を閉塞位置でロックする施錠装置を効率よく配置し、閉塞位置にあるスライド扉に加わる荷重に対する強度を高める。【解決手段】スライド扉２０のガイドレール１１は、吊車装置３０が移動する吊車移動部を備え、施錠装置４０は、吊車移動部におけるスライド扉２０の閉じ側の端部の延長方向に配置されてロックピン４４を作動させるロックユニット４１を備える。【選択図】図８
2016075105.tif 000002
【特許請求の範囲】
【請求項１】
部屋の開口部の上方を通過するガイドレールと、前記ガイドレールにレール長手方向で移動可能に支持される吊車装置と、前記吊車装置に吊り下げられて該吊車装置とともに移動し、前記ガイドレールの下方で前記開口部を開閉するスライド扉と、前記スライド扉が前記開口部を閉塞する閉塞位置にあるときに、ロック部材を作動させて前記スライド扉を移動不能とする施錠装置と、を備えるスライド扉装置において、
前記ガイドレールは、前記吊車装置が移動する吊車移動部を備え、
前記施錠装置は、前記吊車移動部における前記スライド扉の閉じ側の端部の延長方向に配置されて前記ロック部材を作動させるロックユニットを備えることを特徴とするスライド扉装置。
【請求項２】
前記ガイドレールは、前記吊車移動部における前記スライド扉の閉じ側の端部よりも前記スライド扉の閉じ方向へ延びる閉じ側延長部を備え、
前記ロックユニットは、前記閉じ側延長部内に配置されることを特徴とする請求項１に記載のスライド扉装置。
【請求項３】
前記閉じ側延長部は、前記開口部を形成する壁部の室内側に配置されることを特徴とする請求項２に記載のスライド扉装置。
【請求項４】
前記ガイドレールは、平面視で円弧状に湾曲するとともに、前記開口部から室外へ張り出す張り出し部を形成し、
前記閉じ側延長部は、前記張り出し部における前記スライド扉の閉じ側の端部の延長方向に設けられることを特徴とする請求項２又は３に記載のスライド扉装置。
【請求項５】
前記開口部を形成する壁部に、前記スライド扉を前記閉塞位置に位置決めするストッパ部材を備えることを特徴とする請求項１から４の何れか一項に記載のスライド扉装置。
【請求項６】
前記施錠装置は、前記スライド扉の閉じ側端に支持されて前記スライド扉の閉じ方向に延びる係合部材を備え、
前記係合部材は、前記ロック部材を係合させる扉側係合部を備えることを特徴とする請求項１から５の何れか一項に記載のスライド扉装置。
【請求項７】
前記係合部材は、前記スライド扉の閉じ側端に、該スライド扉の移動方向に沿う締結部材によって締結されることを特徴とする請求項６に記載のスライド扉装置。
【請求項８】
前記開口部を形成する壁部に、前記スライド扉を前記閉塞位置に位置決めするストッパ部材を備え、
前記スライド扉の閉じ側端に、前記閉塞位置において前記ストッパ部材に当接する当接部材を備え、
前記当接部材に前記係合部材の締結部が隠されることを特徴とする請求項７に記載のスライド扉装置。
【請求項９】
前記係合部材が、前記扉側係合部を形成する係止片を前記ガイドレール内に配置することを特徴とする請求項６から８の何れか一項に記載のスライド扉装置。
【発明の詳細な説明】
【技術分野】
【０００１】
本発明は、開口部を開閉するスライド扉装置に関する。
【背景技術】
【０００２】
従来、貸金庫室、トイレブース等の出入口を開閉するスライド扉装置として、例えば、下記特許文献１，２に開示されるものが公知である。
特許文献１に開示されるスライド扉装置は、平面視で円弧状に湾曲して延びるガイドレールと、ガイドレールにその長手方向で移動可能に吊り下げられるスライド扉と、を有する。スライド扉は、平面視でガイドレールと略同一の曲率で湾曲する。この湾曲に沿うスライド扉の幅に対し、ガイドレールは約２倍の長さを有する。これは、スライド扉が、出入口に位置して出入口を閉塞する閉塞位置と、出入口から退避して出入口を開放する開放位置と、の両位置に渡って、ガイドレールに吊下されていることが必要なためである。
【０００３】
ところで、近年においては、各種のドア装置においてもセキリュティ性の向上が求められていることから、特許文献２に開示されるような電気錠装置がしばしば採用される。特許文献２に開示される電気錠装置は、スライド扉を吊下するガイドレールの上方に電気錠ユニットが固設されるとともに、スライド扉の上端に上方へ延びるロックブラケットが固設され、電気錠装置の下面で突没動するロックピンがロックブラケットに形成された切り欠きに係合することによって、スライド扉を閉塞位置で移動不能とする（すなわち施錠する）。
【先行技術文献】
【特許文献】
【０００４】
【特許文献１】特許第５５３６４１６号公報
【特許文献２】実開平０６−００８６６５号公報
【発明の概要】
【発明が解決しようとする課題】
【０００５】
しかし、特許文献２のロックブラケットは、ガイドレール内の複数の吊車装置同士を上方から連結する連結部材のさらに上方に延設される細長い部材であるため、閉塞位置にあるスライド扉に加わる衝撃を受け止めることは難しい。すなわち、スライド扉の場合、吊車装置によってガイドレール上を滑動するという構造上、ガイドレール及びスライド扉に近接してロック機構を設けることが困難である。また、スライド扉から離間した位置まで延びる部材を介してスライド扉の移動を規制すると、スライド扉に加わる衝撃等の荷重に対する強度の確保が困難である。
【０００６】
本発明は上記事情に鑑みてなされたもので、ガイドレールの長手方向に沿ってスライド扉を移動させるスライド扉装置において、スライド扉を閉塞位置でロックする施錠装置を効率よく配置し、閉塞位置にあるスライド扉に加わる荷重に対する強度を高めることを目的とする。
【課題を解決するための手段】
【０００７】
上記目的を達成するために、本発明は以下の手段を採用している。
すなわち、本発明に係るスライド扉装置は、部屋の開口部の上方を通過するガイドレールと、前記ガイドレールにレール長手方向で移動可能に支持される吊車装置と、前記吊車装置に吊り下げられて該吊車装置とともに移動し、前記ガイドレールの下方で前記開口部を開閉するスライド扉と、前記スライド扉が前記開口部を閉塞する閉塞位置にあるときに、ロック部材を作動させて前記スライド扉を移動不能とする施錠装置と、を備えるスライド扉装置において、
前記ガイドレールは、前記吊車装置が移動する吊車移動部を備え、前記施錠装置は、前記吊車移動部における前記スライド扉の閉じ側の端部の延長方向に配置されて前記ロック部材を作動させるロックユニットを備えることを特徴とする。
この構成によれば、ガイドレールの吊車移動部におけるスライド扉の閉じ方向の端部の延長方向に、施錠装置のロックユニットを配置することで、吊車装置及びスライド扉の移動を妨げることなく、ガイドレール及びスライド扉に近接して施錠装置を設けることができる。このため、スライド扉に近接した位置でスライド扉の移動を規制することが可能となり、スライド扉から離間した位置でスライド扉の移動を規制する場合と比べて、スライド扉に加わる荷重に対する強度を高めることができる。
【０００８】
また、上記スライド扉装置は、前記ガイドレールが、前記吊車移動部における前記スライド扉の閉じ側の端部よりも前記スライド扉の閉じ方向へ延びる閉じ側延長部を備え、前記ロックユニットは、前記閉じ側延長部内に配置される構成でもよい。
この場合、ガイドレールの閉じ側延長部を利用してロックユニットをスライド扉の閉じ方向に支持し、かつロックユニットを目立たなくすることができる。
【０００９】
また、上記スライド扉装置は、前記閉じ側延長部が、前記開口部を形成する壁部の室内側に配置される構成でもよい。
この場合、閉じ側延長部とともにロックユニットを壁部の室内側に配置することで、室外側から施錠位置を視認不能とし、かつ室外側から施錠位置にアクセス不能とし、セキリュティ性を向上させることができる。
【００１０】
また、上記スライド扉装置は、前記ガイドレールが、平面視で円弧状に湾曲するとともに、前記開口部から室外へ張り出す張り出し部を形成し、前記閉じ側延長部は、前記張り出し部における前記スライド扉の閉じ側の端部の延長方向に設けられる構成でもよい。
この場合、閉じ側延長部を壁部の室内側に容易に配置することができる。
【００１１】
また、上記スライド扉装置は、前記開口部を形成する壁部に、前記スライド扉を前記閉塞位置に位置決めするストッパ部材を備える構成でもよい。
この場合、スライド扉を施錠するにあたり、スライド扉を閉塞位置で正確に位置決めするとともに、スライド扉の閉方向移動の荷重をストッパ部材で受けることができる。
【００１２】
また、上記スライド扉装置は、前記施錠装置が、前記スライド扉の閉じ側端に支持されて前記スライド扉の閉じ方向に延びる係合部材を備え、前記係合部材は、前記ロック部材を係合させる扉側係合部を備える構成でもよい。
この場合、スライド扉の閉じ方向の所望の位置で施錠装置によるスライド扉の移動規制を行うことができる。
【００１３】
また、前記スライド扉装置は、前記係合部材が、前記スライド扉の閉じ側端に、該スライド扉の移動方向に沿う締結部材によって締結される構成でもよい。
この場合、スライド扉に対する面直方向（移動方向と直交する方向）の荷重に対する強度を高めることができる。
【００１４】
また、上記スライド扉装置は、前記開口部を形成する壁部に、前記スライド扉を前記閉塞位置に位置決めするストッパ部材を備え、前記スライド扉の閉じ側端に、前記閉塞位置において前記ストッパ部材に当接する当接部材を備え、前記当接部材に前記係合部材の締結部が隠される構成でもよい。
この場合、スライド扉の閉じ側端に取り付けられる当接部材によって、係合部材とストッパ部材とが直接当接することを回避し、かつ見栄えを向上させることができる。
【００１５】
また、上記スライド扉装置は、前記係合部材が、前記扉側係合部を形成する係止片を前記ガイドレール内に配置する構成でもよい。
この場合、係合部材の係止片が開口部に突出せず、かつ扉側係合部がガイドレールによって隠され、外部からの施錠位置へのアクセスをより効果的に阻止することができる。
【発明の効果】
【００１６】
本発明によれば、ガイドレールの長手方向に沿ってスライド扉を移動させるスライド扉装置において、スライド扉を閉塞位置でロックする施錠装置を効率よく配置し、閉塞位置にあるスライド扉に加わる荷重に対する強度を高めることができる。
【図面の簡単な説明】
【００１７】
【図１】本実施形態のスライド扉装置を適用する部屋の平面図である。
【図２】上記スライド扉装置の閉状態を室外側から見た斜視図である。
【図３】上記スライド扉装置の開状態を室外側から見た斜視図である。
【図４】上記スライド扉装置のスライド扉を吊り下げるガイドレールの設置状態を示す平面図である。
【図５】上記スライド扉装置のスライド扉の配置を示す平面図である。
【図６】図５のＶＩ部拡大図である。
【図７】図６に対しスライド扉が小量開いた状態の説明図である。
【図８】上記ガイドレール及びスライド扉の平面視の湾曲を伸ばして示す展開側面図である。
【図９】図８のＩＸ断面図である。
【図１０】図８のＸ断面図である。
【図１１】上記スライド扉の閉じ側端の上部を斜め下方から見た斜視図である。
【発明を実施するための形態】
【００１８】
以下、本発明の一実施形態について図面を参照して説明する。
図１に示す部屋１は、四方を壁に囲まれた直方体状の室内空間１Ａを形成するとともに、図中下側の壁に出入口９を形成し、この出入口９をスライド扉装置１０で開閉する。以下、部屋１の出入口９側を前側、部屋１の出入口９と反対側を後側とする。また、左右の向きは、出入口９から室内を見たときの左右とする。部屋１の前後左右の壁をそれぞれ前壁２、後壁３、左壁４及び右壁５とする。
【００１９】
図２、図３を併せて参照し、前壁２は、出入口９の上方及び左右を囲む門形に形成される。前壁２の左側には、スライド扉装置１０を操作するためのカードリーダー６が設置される。部屋１内には、後壁３に接した状態で作業机７が設置されるとともに、例えばキャスター付きの椅子８が配置される。
【００２０】
スライド扉装置１０は、平面視で円弧状に延びるガイドレール１１と、ガイドレール１１に沿って移動可能なスライド扉２０と、スライド扉２０を閉状態で施錠可能な施錠装置４０と、を有する。
【００２１】
図１、図４を参照し、ガイドレール１１は、右壁５の上端部と前壁２の上端部とに渡って延び、右壁５及び前壁２の各上端部に固定的に支持される。ガイドレール１１は、平面視で単一半径の円弧状に延びる半円部１２と、平面視で半円部１２の閉じ側端１２ａから接線方向に延びる閉じ側延長部１３と、平面視で半円部１２の開き側端１２ｂから接線方向に延びる開き側延長部１４と、を一体に有する。閉じ側延長部１３は開き側延長部１４よりも長く延びる。図４中線Ｔ１は、平面視で半円部１２の径方向に沿って半円部１２の両端に渡って延びる直線を示し、点Ｃ１は、平面視での半円部１２の湾曲中心点を示す。
【００２２】
ガイドレール１１は、平面視で、半円部１２の閉じ側端１２ａに対し、開き側端１２ｂが部屋１の奥側に位置するように回転した状態で、部屋１における出入口９の上端高さに水平に設置される。ガイドレール１１は、出入口９の左端上部に閉じ側端１２ａ近傍が第一ブラケット１５ａを介して支持され、出入口９の右端上部に長手方向中間部が第二ブラケット１５ｂを介して支持され、右壁５の上部に開き側端１２ｂ近傍及び右最外側部がそれぞれ第三ブラケット１５ｃ及び第四ブラケット１５ｄを介して支持される。ガイドレール１１は、出入口９の左右端の上端部間において、前壁２よりも前方（室外）に張り出す。ガイドレール１１（半円部１２）における室外に張り出す部位を張り出し部１２ｃという。図では出入口９の左端を閉じ側端９ａ、右端を開き側端９ｂで示す。
【００２３】
図５を参照し、スライド扉２０は、平面視でガイドレール１１の半円部１２と同一半径の円弧状をなし、当該円弧形状で上下に延びることで円筒状に形成される。スライド扉２０は、出入口９と同等の左右幅を有し、ガイドレール１１に沿って移動することで出入口９を開閉する。
【００２４】
図６、図７を併せて参照し、スライド扉２０の閉じ側端２０ａには、例えばゴム製の閉じ側クッション部材２１が上下幅に渡って取り付けられる。閉じ側クッション部材２１は、例えば出入口９の左端の室内側に固定された平面視Ｌ字形状の閉じ側戸当たり２３に当接し、スライド扉２０の全閉位置を規定する。スライド扉２０の開き側端２０ｂには、閉じ側クッション部材２１と同様の開き側クッション部材２２が取り付けられる。開き側クッション部材２２は、不図示の開き側戸当たりに当接し、スライド扉２０の全開位置を規定する。
【００２５】
図８、図１０を参照し、スライド扉２０は、ガイドレール１１に複数の吊車装置３０を介して吊り下げられる。吊車装置３０は、上下に延びる吊支軸３１と、吊支軸３１の上端部に回動可能に連結されて水平方向に延びる吊支部材３２と、吊支部材３２の吊支軸３１を挟んだ両側を吊支部材３２の長手方向と直交する方向で水平に貫通する一対の車軸３３と、各車軸３３の両端部にそれぞれ支持される計４つの吊りローラ３４と、吊支軸３１の上部に貫通支持されるガイドローラ３５と、を有する。
【００２６】
吊車装置３０は、スライド扉２０の平面視の湾曲形状に沿う幅方向で、少なくとも閉じ側及び開き側の両端部に設けられ、ガイドレール１１の半円部１２を吊車移動部として半円部１２の両端間に渡って移動する。スライド扉２０を吊り下げ式とすることで、床Ｙ上のガイドレールが不要となる。
なお、吊車装置３０は、スライド扉２０の幅方向の両端部に加えて幅方向の中間部にも設ければ、複数の吊車装置３０が直線上に並ぶことなく配置され、スライド扉２０の面直方向の荷重に対する揺れ等を抑える。
【００２７】
吊支軸３１は、下半部が雄ネジ部３１ａとされる。吊支軸３１は、雄ネジ部３１ａをスライド扉２０の上端に設けられたネジ孔３１ｂに螺着し、スライド扉２０の吊り高さを調整した上で、雄ネジ部３１ａに螺着されたロックナット３１ｃによりスライド扉２０の上端に固定される。
吊支部材３２は、各吊りローラ３４がガイドレール１１の内外水平片１１ｄ，１１ｅ上を転動することで、ガイドレール１１に沿って移動可能である。
【００２８】
ガイドレール１１は、下方に開放する門形の断面形状を有して平面視の湾曲形状に沿って延びる。ガイドレール１１は、上面を形成する上壁１１ａと、上壁１１ａにおけるガイドレール１１の平面視形状の内周端及び外周端から下方に延びる内縦壁１１ｂ及び外縦壁１１ｃと、内外縦壁１１ｂ，１１ｃの下端からそれぞれガイドレール１１の内側へ水平に延びる内外水平片１１ｄ，１１ｅと、内外水平片１１ｄ，１１ｅの上方に離間した位置で内外縦壁１１ｂ，１１ｃからそれぞれ突出する内外ガイド片１１ｆ，１１ｇと、外縦壁１１ｃの下方に連続して延びるスカート片１１ｈと、を有する。
【００２９】
ガイドレール１１内には、吊支部材３２が長手方向をガイドレール１１の平面視形状の径方向と直交させるように配置される。このとき、吊支部材３２におけるガイドレール１１の平面視形状の径方向の両側には、それぞれ一対の吊りローラ３４が配置される。各吊りローラ３４は、ガイドレール１１の内外水平片１１ｄ，１１ｅ上に載置されて転動する。各吊りローラ３４の内外水平片１１ｄ，１１ｅから浮きは、各吊りローラ３４の上端に近接する内外ガイド片１１ｆ，１１ｇにより抑えられる。
【００３０】
内外水平片１１ｄ，１１ｅのガイドレール１１内側の内側端は互いに離間し、これらの間の隙間を通じて吊支軸３１がガイドレール１１の下方に突出して、スライド扉２０の上端に連結される。吊支軸３１が支持するガイドローラ３５は、内外水平片１１ｄ，１１ｅの内側端間に位置し、これらの何れかに接触して転動する。
この吊車装置３０がガイドレール１１内をガイドレール１１の長手方向（レール長手方向）に沿って移動することで、スライド扉２０がガイドレール１１の長手方向に沿って移動可能となる。
【００３１】
吊車装置３０には、扉駆動装置５０のマグネットバー５１が固定される。マグネットバー５１の上方には、扉駆動装置５０の励磁コイルユニット５２が、ガイドレール１１内で上壁１１ａに固定された状態で配置される。
扉駆動装置５０は、励磁コイルへの通電によりマグネットを吸引反発して駆動力を得る。扉駆動装置５０は、可動子を回転させる回転モータに対し、可動子を往復動させる往復リニアモータである。
【００３２】
マグネットバー５１は、上下面を水平にした帯状をなし、スライド扉２０の平面視形状の例えば全幅に渡って円弧状に延びる。マグネットバー５１は、長手方向に並ぶ複数の磁極部を有する。各磁極部は、マグネットバー５１の上面に、長手方向で交互に並ぶＮ極とＳ極とを形成する。
【００３３】
励磁コイルユニット５２は、ガイドレール１１の平面視形状の長手方向に沿って円弧状に延び、平面視でマグネットバー５１とラップする位置に設けられる。励磁コイルユニット５２は、スライド扉２０が全閉位置から全開位置まで移動する間に、マグネットバー５１と常に所定以上の長さでラップする。励磁コイルユニット５２は、長手方向に並ぶ複数の励磁コイルを有する。各励磁コイルは、励磁コイルユニット５２の下面に鉄芯の下面を露出させる。鉄芯の下面は、マグネットバー５１の上面と隙間を介して対向する。
【００３４】
そして、励磁コイルユニット５２に制御電流を供給して適宜の励磁コイルの鉄芯を励磁し、マグネットバー５１の適宜の磁極を吸引反発することで、部屋１に固定されたガイドレール１１に対してスライド扉２０を往復動させる駆動力が発生する。スライド扉２０を往復リニアモータで駆動することで、回転モータ及び動力変換機構を用いる場合と比べて、スライド扉２０を静かでスムーズに開閉させる。また、スライド扉２０の戻しバネ装置が不要となり、スライド扉２０の開閉がより軽くかつ静かで、かつスライド扉２０を開放位置に保持する手間もない。
【００３５】
図８、図９を参照し、ガイドレール１１の閉じ側延長部１３内には、スライド扉２０を全閉状態で施錠するロックユニット４１が設けられる。ロックユニット４１は、直方体状の外観をなして上壁１１ａの下面に固定されるとともに駆動機構４２ａを収容するハウジング４２と、円筒状の外観をなしてハウジング４２における閉じ側延長部１３の末端側に連なり駆動機構４２ａに駆動力を付与する電磁駆動部４３と、電磁駆動部４３の駆動力及び駆動機構４２ａの作動によりハウジング４２の下面において出没動するロックピン４４と、を有する。なお、ロックユニット４１を配置する部位では、ガイドレール１１の内外ガイド片１１ｆ，１１ｇが除去される。
【００３６】
スライド扉２０の閉じ側端２０ａの上端部には、例えば側面視Ｌ字形状の係合部材４５が取り付けられる。係合部材４５は、スライド扉２０の閉じ側端２０ａの上端部に沿って上下に延びる固定片４６と、固定片４６の上端からスライド扉２０の閉じ側に平面視形状の接線方向に沿って水平に延びる係止片４７と、を有する。固定片４６は、スライド扉２０の閉じ側端２０ａに平面視形状の接線方向に沿う上下一対の固定ネジ４８により締結固定される。固定片４６及び固定ネジ４８は、スライド扉２０の閉じ側端２０ａに装着される閉じ側クッション部材２１によって隠される（図１１参照）。係止片４７は、ガイドレール１１の内外水平片１１ｄ，１１ｅ間の隙間からガイドレール１１内に入り込み、内外水平片１１ｄ，１１ｅの上面とロックユニット４１の下面との間でスライド扉２０と一体に移動する。
【００３７】
係止片４７の先端部には、ロックユニット４１のロックピン４４を係脱可能な係止孔４９が形成される。すなわち、スライド扉２０が全閉位置にあるとき、ロックユニット４１と係止片４７とがレール長手方向でラップする。このとき、係止片４７の係止孔４９がロックユニット４１のロックピン４４の真下に配置され、この係止孔４９にロックピン４４を挿入することで、ロックユニット４１がスライド扉２０を全閉位置で施錠した状態となる。一方、スライド扉２０の開錠操作がなされると、ロックユニット４１がロックピン４４を上昇させて係止孔４９から離脱させ、スライド扉２０を開錠状態にするとともに、扉駆動装置５０が作動してスライド扉２０を開作動させる。
【００３８】
ロックユニット４１及び扉駆動装置５０の作動は、例えば壁内に配置された不図示の制御装置により統括制御される。一例として、スライド扉装置１０は、平常時にはスライド扉２０を全閉位置とし、かつロックユニット４１によりスライド扉２０を施錠した状態とする。この状態でカードリーダー６にカードキーが差し込まれると、ロックユニット４１がスライド扉２０を開錠状態にするとともに、扉駆動装置５０が作動してスライド扉２０を開作動させる。その後、一定時間が経過すると、扉駆動装置５０が作動してスライド扉２０を全閉位置まで閉作動させるとともに、ロックユニット４１によりスライド扉２０を施錠した状態とする。一連の動作は前記制御装置により自動でなされる。
【００３９】
スライド扉２０の施錠状態において、スライド扉２０の閉じ側端２０ａは出入口９の左側で前壁２の室内側に入り込む。また、ガイドレール１１のスカート片１１ｈによりスライド扉２０とガイドレール１１との間の隙間が室外側から閉塞される。このため、室外からロックユニット４１及び係合部材４５が視認されず、防犯性に優れる。ロックユニット４１及び係合部材４５がガイドレール１１の閉じ側延長部１３内に収まるので、室内へ突出することもない。閉じ側延長部１３は部屋１の中央部から離間するので、室内空間１Ａへの影響も少ない。
【００４０】
以上説明したように、本実施形態のスライド扉装置１０は、部屋１の出入口９の上方を通過するガイドレール１１と、ガイドレール１１にレール長手方向で移動可能に支持される吊車装置３０と、吊車装置３０に吊り下げられて該吊車装置３０とともに移動し、ガイドレール１１の下方で出入口９を開閉するスライド扉２０と、スライド扉２０が出入口９を閉塞する閉塞位置にあるときに、ロックピン４４を作動させて前記スライド扉２０を移動不能とする施錠装置４０と、を備え、ガイドレール１１は、吊車装置３０が移動する吊車移動部（半円部１２）を備え、施錠装置４０は、吊車移動部におけるスライド扉２０の閉じ側の端部（閉じ側端１２ａ）の延長方向に配置されてロックピン４４を作動させるロックユニット４１を備える。
この構成によれば、ガイドレール１１の吊車移動部におけるスライド扉２０の閉じ方向の端部の延長方向に、施錠装置４０のロックユニット４１を配置することで、吊車装置３０及びスライド扉２０の移動を妨げることなく、ガイドレール１１及びスライド扉２０に近接して施錠装置４０を設けることができる。このため、スライド扉２０に近接した位置でスライド扉２０の移動を規制することが可能となり、スライド扉２０から離間した位置でスライド扉２０の移動を規制する場合と比べて、スライド扉２０に加わる荷重に対する強度を高めることができる。
【００４１】
また、上記スライド扉装置１０は、ガイドレール１１が、吊車移動部におけるスライド扉２０の閉じ側の端部よりもスライド扉２０の閉じ方向へ延びる閉じ側延長部１３を備え、ロックユニット４１は、閉じ側延長部１３内に配置される。
この構成によれば、ガイドレール１１の閉じ側延長部１３を利用してロックユニット４１をスライド扉２０の閉じ方向に支持し、かつロックユニット４１を目立たなくすることができる。
【００４２】
また、上記スライド扉装置１０は、閉じ側延長部１３が、出入口９を形成する前壁２の室内側に配置される。
この構成によれば、閉じ側延長部１３とともにロックユニット４１を前壁２の室内側に配置することで、室外側から施錠位置を視認不能とし、かつ室外側から施錠位置にアクセス不能とし、セキリュティ性を向上させることができる。
【００４３】
また、上記スライド扉装置１０は、ガイドレール１１が、平面視で円弧状に湾曲するとともに、出入口９から室外へ張り出す張り出し部１２ｃを形成し、閉じ側延長部１３は、張り出し部１２ｃにおけるスライド扉２０の閉じ側の端部の延長方向に設けられる。
この構成によれば、閉じ側延長部１３を前壁２の室内側に容易に配置することができる。
【００４４】
また、上記スライド扉装置１０は、出入口９を形成する前壁２に、スライド扉２０を閉塞位置に位置決めするストッパ部材（閉じ側戸当たり２３）を備える。
この構成によれば、スライド扉２０を施錠するにあたり、スライド扉２０を閉塞位置で正確に位置決めするとともに、スライド扉２０の閉方向移動の荷重をストッパ部材で受けることができる。
【００４５】
また、上記スライド扉装置１０は、施錠装置４０が、スライド扉２０の閉じ側端２０ａに支持されてスライド扉２０の閉じ方向に延びる係合部材４５を備え、係合部材４５は、ロックピン４４を係合させる係止孔４９を備える。
この構成によれば、スライド扉２０の閉じ方向の所望の位置で施錠装置４０によるスライド扉２０の移動規制を行うことができる。
【００４６】
また、前記スライド扉装置１０は、係合部材４５が、スライド扉２０の閉じ側端２０ａに、該スライド扉２０の移動方向に沿う固定ネジ４８によって締結される。
この構成によれば、スライド扉２０に対する面直方向（移動方向と直交する方向）の荷重に対する強度を高めることができる。
【００４７】
また、上記スライド扉装置１０は、スライド扉２０の閉じ側端２０ａに、閉塞位置において閉じ側戸当たり２３に当接する閉じ側クッション部材２１を備え、閉じ側クッション部材２１に係合部材４５の締結部（固定片４６）が隠される。
この構成によれば、スライド扉２０の閉じ側端２０ａに取り付けられる閉じ側クッション部材２１によって、係合部材４５と閉じ側戸当たり２３とが直接当接することを回避し、かつ見栄えを向上させることができる。
【００４８】
また、上記スライド扉装置１０は、係合部材４５が、係止孔４９を形成する係止片４７をガイドレール１１内に配置する。
この構成によれば、係合部材４５の係止片４７が出入口９に突出せず、かつ係止孔４９がガイドレール１１によって隠され、外部からの施錠位置へのアクセスをより効果的に阻止することができる。
【００４９】
なお、この発明は上記各実施形態に限られるものではなく、適宜な変形や改良等が可能である。例えば、部屋の出入口に限らず窓等の開口部にスライド扉装置を設置してもよい。貸金庫室に限らずトイレブース等の種々の部屋に適用してもよい。
ガイドレール及びスライド扉が平面視で円弧状をなすものに限らず、直線状のガイドレール及びこのガイドレールに吊支される平板状のスライド扉を備えるものでもよい。また、ガイドレール及びスライド扉の一方のみが平面視で直線状であってもよい。
ロックユニットは、スライド扉の閉じ方向にあれば、ガイドレールではなく部屋の壁等に支持されてもよい。また、ロックピンに代わり爪形状等のロック部材を用いてもよい。
往復リニアモータを備えるスライド扉の駆動機構を有する必要は無く、スライド扉を手動により開閉する構成でもよい。その場合、スライド扉の係合部材の位置と、施錠装置のロックピンの位置とが整合するように、施錠装置、または施錠装置が設けられたガイドレールの閉じ側延長部か部屋の壁等に、ストッパ手段を形成しておくとともに、制御装置も、ロックピンの上下動のみを制御するように設定することが望ましい。
【符号の説明】
【００５０】
１  部屋
２  前壁（壁部）
９  出入口（開口部）
１０  スライド扉装置
１１  ガイドレール
１２  半円部（吊車移動部）
１２ａ  閉じ側端（閉じ側の端部）
１２ｃ  張り出し部
１３  閉じ側延長部
２０  スライド扉
２０ａ  閉じ側端
２１  閉じ側クッション部材（当接部材）
２３  閉じ側戸当たり（ストッパ部材）
３０  吊車装置
４０  施錠装置
４１  ロックユニット
４４  ロックピン（ロック部材）
４５  係合部材
４６  固定片（締結部）
４７  係止片
４８  固定ネジ（締結部材）
４９  係止孔（扉側係合部）
【図１】
2016075105.tif 000003
【図２】
2016075105.tif 000004
【図３】
2016075105.tif 000005
【図４】
2016075105.tif 000006
【図５】
2016075105.tif 000007
【図６】
2016075105.tif 000008
【図７】
2016075105.tif 000009
【図８】
2016075105.tif 000010
【図９】
2016075105.tif 000011
【図１０】
2016075105.tif 000012
【図１１】
2016075105.tif 000013